(57)【要約】  基地局及び移動局を提供する。基地局は、上記基地局によってサービスされる移動局全てに信号を送信するための共通アンテナ（＃０乃至＃３）と、特殊アンテナをサポートし、上記基地局によってサービスされる移動局に信号を送信するための特殊アンテナと、現在のフレームからの上記特殊アンテナの共通パイロットを送信するためのサブフレームを選択するサブフレーム選択装置（３１０）と、上記サブフレーム選択装置によって選択された、上記特殊アンテナの上記共通パイロットを送信するための上記サブフレームからの上記特殊アンテナの上記共通パイロットを送信するためのリソース・ブロックを選択するリソース・ブロック選択装置（３６０）と、セル内で上記特殊アンテナをサポートする移動局に上記特殊アンテナの上記共通パイロットを送信するための選択されたサブフレーム及びリソース・ブロックを通知する通知装置（３３０）と、上記リソース・ブロック選択装置（３６０）によって選択された上記リソース・ブロック上で上記特殊アンテナの上記共通パイロットを含む信号を送信する送信装置（３２０）とを備える。
2012521110.tif 000002
【特許請求の範囲】
【請求項１】
基地局であって、
前記基地局によってサービスされる移動局（ＵＥ）全てに信号を送信するよう構成された共通アンテナと、
特殊アンテナをサポートし、前記基地局によってサービスされるＵＥに信号を送信するよう構成された特殊アンテナと、
現在のフレームにおいて前記特殊アンテナの共通パイロットを送信するためのサブフレームを選択するよう構成されたサブフレーム選択装置と、
前記サブフレーム選択装置によって選択された前記特殊アンテナの前記共通パイロットを送信するために、前記サブフレームにおいて、前記特殊アンテナの前記共通パイロットを送信するためのＲＢを選択するよう構成されたリソース・ブロック（ＲＢ）選択装置と、
前記特殊アンテナの前記共通パイロットを送信するための前記選択されたサブフレーム及びＲＢを、前記特殊アンテナをサポートする前記ＵＥに通知するよう構成された通知装置と、
前記ＲＢ選択装置によって選択された前記ＲＢにおいて前記特殊アンテナの前記共通パイロットを有する信号を送信するよう構成された送信装置と
を備える基地局。
【請求項２】
請求項１記載の基地局であって、複数の特殊アンテナが存在しており、前記送信装置は、前記ＲＢ選択装置によって選択された前記ＲＢにおいて前記特殊アンテナの前記共通パイロットの全部又は一部を送信する基地局。
【請求項３】
請求項１又は２に記載の基地局であって、前記サブフレーム選択装置によって選択された前記特殊アンテナの前記共通パイロットを、前記特殊アンテナをサポートする前記ＵＥに送信するために前記サブフレームを優先的にスケジューリングするスケジューリング装置を更に備える基地局。  
【請求項４】
請求項１又は２に記載の基地局であって、判断装置を更に備え、
前記判断装置は、前記特殊アンテナの前記共通パイロットを送信しないモードに切り換えるか否かを判断し、前記送信装置は、前記特殊アンテナの前記共通パイロットを送信しないモードに切り換えないと前記判断装置が判断する場合、前記サブフレーム選択装置によって選択された前記特殊アンテナの前記共通パイロットを送信するために前記サブフレームにおいて前記特殊アンテナの前記共通パイロットを有する前記信号を送信し、
前記特殊アンテナの前記共通パイロットを送信しないモードに切り換えると前記判断装置が判断する場合、前記通知装置は、前記特殊アンテナの前記共通パイロットを送信しない旨を、前記特殊アンテナをサポートする前記ＵＥに通知する基地局。
【請求項５】
判断装置、送信装置、及び通知装置を備える基地局であって、
前記判断装置は、特殊アンテナの共通パイロットを送信しないモードに切り換えるか否かを判断し、
前記特殊アンテナの前記共通パイロットを送信しないモードに切り換えないと前記判断装置が判断する場合、前記送信装置は、サブフレームの何れかにおいて前記特殊アンテナの前記共通パイロットを有する信号を送信し、
前記特殊アンテナの前記共通パイロットを送信しないモードに切り換えると前記判断装置が判断する場合、前記通知装置は、前記特殊アンテナの前記共通パイロットを送信しない旨を、前記特殊アンテナをサポートする前記ＵＥに通知する基地局。
【請求項６】
ＵＥであって、
現在のＲＢが特殊アンテナの共通パイロットを送信するか否かを判断するよう構成されたＲＢ判断装置と、
前記現在のＲＢが前記特殊アンテナの前記共通パイロットを送信すると前記ＲＢ判断装置が判断する場合、前記特殊アンテナの前記共通パイロットを前記現在のＲＢから獲得する構成された共通パイロット獲得装置と、
前記共通パイロット獲得装置によって獲得された前記共通パイロットについて、前記特殊アンテナの前記共通パイロットの処理を行うよう構成された処理装置とを備えるＵＥ。
【請求項７】
請求項６記載のＵＥであって、複数の特殊アンテナが存在しており、前記ＲＢ判断装置は更に、前記現在のＲＢによって共通パイロットが送信されている、前記複数の特殊アンテナのうちの１つ又は複数の特殊アンテナを更に判断し、前記共通パイロット獲得装置は、判断された１つ又は複数の特殊アンテナの１つ又は複数の共通パイロットを獲得するＵＥ。
【請求項８】
請求項６又は７に記載のＵＥであって、前記共通パイロット獲得装置は、前記特殊アンテナをサポートしないＵＥにスケジューリングされたＲＢとして前記ＲＢ判断装置によって判断された前記特殊アンテナの前記共通パイロットを送信するＲＢを扱って、前記ＲＢからチャネル推定値を獲得するＵＥ。
【請求項９】
請求項６又は７に記載のＵＥであって、前記共通パイロット獲得装置は、前記特殊アンテナをサポートする別のＵＥにスケジューリングされたＲＢとして前記ＲＢ判断装置によって判断された前記特殊アンテナの前記共通パイロットを送信するＲＢを扱って、前記特殊アンテナの前記共通パイロットを送信する前記ＲＢからチャネル推定値を獲得するＵＥ。
【請求項１０】
請求項６又は７に記載のＵＥであって、前記特殊アンテナの前記共通パイロットを送信するＲＢを含むサブフレームにおいて、前記特殊アンテナの前記共通パイロットを送信しないＲＢのチャネル推定値の算出中に、前記処理装置は、前記特殊アンテナの前記共通パイロットを送信しない前記ＲＢに時間及び周波数領域に隣接した前記特殊アンテナの前記共通パイロットを送信するＲＢのチャネル推定値を選択し、比例してチャネル値の補間を介して上記特殊アンテナの上記共通パイロットを送信しないＲＢのチャネル推定値を獲得するＵＥ。
【発明の詳細な説明】
【技術分野】
【０００１】
本発明は一般に、無線通信システムの分野に関し、特に、より少ないアンテナ及びより多いアンテナをサポートする移動局を備えるハイブリッド・システムにおける基地局及び移動局に関する。
【背景技術】
【０００２】
無線通信システムの伝送効率を向上させるために、ＭＩＭＯは、現在及び将来における無線通信に避けられない選択肢となっている。ＭＩＭＯ−ＯＦＤＭシステムでは、複数の送信／受信アンテナの使用は、システム内の未知のパラメータの数を大きく増加させる。前述の未知のパラメータは、既知のパイロット又は訓練信号を使用して推定されるが、余分なパイロット系列は多くの物理的資源を占め、複数のアンテナの使用は、未知のパラメータの推定に対して大きな問題をもたらす。
【０００３】
高効率での物理資源の割り当ての便宜上、物理フレームは通常、時間領域における複数のサブフレームに分けられ、各サブフレームは、周波数領域における複数の基本割り当て単位（すなわち、リソース・ブロック（ＲＢ））に分けられる。例えば、最新のＬＴＥ標準では、１０ｍｓのフレームは１０個のサブフレームを含み、各サブフレームは１４個のＯＦＤＭシンボルを含む。各サブフレームは、周波数領域における１２個のサブキャリアの単位におけるサブブロックに分けられ、１２個のサブキャリア及び１４個のＯＦＤＭシンボルの時間周波数ＲＢが基本ＲＢを構成する。図１は、４個の送信アンテナが存在している場合に、物理資源単位（時間・周波数の２次元）におけるパイロット分布の概略図である。
【０００４】
従来のマルチ送信アンテナの参照信号の設計手法は主に、直交パイロット設計基準に基づく。すなわち、受信端部間の相互干渉を引き起こさないように、それぞれの送信アンテナのパイロットが占める資源は互いに直交である。ＬＴＥ  Ｒｅｌ−８標準では、サポート可能な送信及び受信アンテナの最高の構成は４×４である。より高いデータ伝送速度をサポートし、貴重なスペクトル資源を効果的に利用するために、最大８個の送信アンテナ及び８個の受信アンテナのアンテナ構成を、現在議論されているＬＴＥ  Ｒｅｌｅａｓｅ−１０  （ＬＴＥ−Ａ）において採用する。その場合、直交ＲＳ設計がなお使用されている場合、参照信号は多くの物理資源を占め、これは、参照信号の高効率かつ合理的な設計に対する大きな難問である。前述の理由で、かつ、ＬＴＥ及びＬＴＥーＡのハイブリッド・システムのパイロット設計を考慮して、特殊パイロット及び共通パイロットを使用する設計を考慮に入れることができる。共通パイロットは、ＬＴＥ−Ａのユーザ測定システムのチャネル品質のために採用され、前置符号化マトリクス等が使用される。ＬＴＥ−Ａ基地局の８個の送信アンテナにおけるアンテナ０乃至３の共通パイロット、及びＬＴＥに規定された４個の送信アンテナの共通パイロットは同じパイロット・パターン（すなわち、図１に示すパイロット・パターン）を有する。アンテナ４乃至７の共通パイロットは、送信のための他の時間・周波数資源を占める必要がある。特殊パイロットは、チャネル推定を行いデータを復調するために特定のＲＢがスケジューリングされるＬＴＥ−Ａユーザにのみ利用可能である。
【０００５】
本発明の文献は以下に挙げており、本明細書及び特許請求の範囲に完全に記載しているかのように、参照により、本明細書及び特許請求の範囲に組み入れる。
【０００６】
１．  Ｈａｎ  Ｊｉｎ−Ｋｙｕらによる「Ｍｅｔｈｏｄ  ａｎｄ  ａｐｐａｒａｔｕｓ  ｆｏｒ  ｍａｎａｇｉｎｇ  ｃｏｎｔｒｏｌ  ｃｈａｎｎｅｌ  ｉｎ  ａ  ｍｏｂｉｌｅ  ｃｏｍｍｕｎｉｃａｔｉｏｎ  ｓｙｓｔｅｍ  ｕｓｉｎｇ  ｍｕｌｔｉｐｌｅ  ａｎｔｅｎｎａｓ」（特許文献１）
２．  Ｙｏｓｈｉｉ  Ｉｓａｍｕらによる「Ｒａｄｉｏ  Ｔｒａｎｓｍｉｔｔｅｒ  ａｎｄ  ｐｉｌｏｔ  ｓｉｇｎａｌ  ｉｎｓｅｒｔｉｎｇ  ｍｅｔｈｏｄ」（特許文献２）
３．  Ｓｏｎｇ  Ｙｏｕｎｇ−ｊｏｏｎらによる「Ｐｉｌｏｔ  ｓｉｇｎａｌｓ  ｆｏｒ  ｓｙｎｃｈｒｏｎｉｚａｔｉｏｎ  ａｎｄ／ｏｒ  ｃｈａｎｎｅｌ  ｅｓｔｉｍａｔｉｏｎ」（特許文献３）
４．  Ｂｕｄｉａｎｕ  Ｐｅｔｒｕ  Ｃｒｉｓｔｉａｎらによる「Ｍｅｔｈｏｄｓ  ａｎｄ  ａｐｐａｒａｔｕｓ  ｆｏｒ  ｉｍｐｒｏｖｅｄ  ｅｓｔｉｍａｔｉｏｎ  ｏｆ  ｓｅｌｅｃｔｉｖｅ  ｃｈａｎｎｅｌｓ  ｉｎ  ａｎ  ＯＦＤＭＡ  ｓｙｓｔｅｍ  ｗｉｔｈ  ｄｅｄｉｃａｔｅｄ  ｐｉｌｏｔ  ｔｏｎｅｓ」（特許文献４）
５．  Ｍａｌｌａｄｉ  Ｄｕｒｇａ  Ｐｒａｓａｄらによる「Ｈｙｂｒｉｄ  ｐｉｌｏｔ  ｃｏｎｆｉｇｕｒａｔｉｏｎ」（特許文献５）
６．  Ｒ１−０９０７０６（非特許文献１）
７．  Ｒ１−０９０６１９（非特許文献２）
【先行技術文献】
【特許文献】
【０００７】
【特許文献１】米国特許出願公開第２００８／０２１２５５０（Ａ１）号
【特許文献２】米国特許出願公開第２００８／０１０７１５８（Ａ１）号
【特許文献３】米国特許出願公開第２００８／０２９８４３８（Ａ１）号
【特許文献４】米国特許出願公開第２００８／０２３２４８４（Ａ１）号
【特許文献５】米国特許出願公開第２００８／０２２５９９３（Ａ１）号
【非特許文献】
【０００８】
【非特許文献１】Ｒ１−０９０７０６，  「ＤＬ  Ｒｅｆｅｒｅｎｃｅ  Ｓｉｇｎａｌ  Ｄｅｓｉｇｎ  ｆｏｒ  ８ｘ８  ＭＩＭＯ  ｉｎ  ＬＴＥ−Ａｄｖａｎｃｅｄ，  Ｆｕｊｉｔｓｕ，  ３ＧＰＰ  ＲＡＮ１  ＃５６  ｍｅｅｔｉｎｇ，  Ａｔｈｅｎｓ  Ｇｒｅｅｃｅ」
【非特許文献２】Ｒ１−０９０６１９，  「ＤＬ  ＲＳ  Ｄｅｓｉｇｎｓ  ｆｏｒ  Ｈｉｇｈｅｒ  Ｏｒｄｅｒ  ＭＩＭＯ，  Ｓａｍｓｕｎｇ，  ３ＧＰＰ  ＲＡＮ１  ＃５６  ｍｅｅｔｉｎｇ，  Ａｔｈｅｎｓ  Ｇｒｅｅｃｅ」
【発明の概要】
【発明が解決しようとする課題】
【０００９】
現在、時分割多重化において、各１０ｍｓフレーム内のサブフレームを区別することが一部の者によって提案されている。すなわち、サブフレームを３つのカテゴリに分類すれば、第１のカテゴリはＬＴＥサブフレーム（ＲＢ全てがＬＴＥユーザに対してスケジューリングされる）であり、第２のカテゴリはＬＴＥ−Ａサブフレーム（ＲＢ全てがＬＴＥ−Ａユーザに対してスケジューリングされる）であり、第３のカテゴリは混合サブフレーム（ＲＢ全てがＬＴＥユーザ又はＬＴＥ−Ａユ―ザに対してスケジューリングされる）である。更に、ＬＴＥサブフレームにおいてＬＴＥ−Ａ共通パイロットを送信することが一部の者によって提案されている。従来技術では、一方で、ＬＴＥ−Ａ共通パイロットはＬＴＥサブフレームにおけるＲＢによって送信されるデータに干渉する。他方で、一部のサブフレームは、ＬＴＥユーザ又はＬＴＥ−Ａユーザにしかスケジューリングすることが可能でないので、システム・スケジューリングの柔軟性は減少する。
【００１０】
なお、従来技術の上記説明は、本発明の技術的解決策を明確かつ完全に説明する便宜上、かつ当業者の理解の便宜上のみ行っている。前述の技術的解決策は、本発明の背景部分において説明されているので当業者に周知であると解さないものとする。
【課題を解決するための手段】
【００１１】
本発明の実施例は、従来技術において存在する欠点を軽減又は解消し、少なくとも１つの有益な選択肢を提供するために、上記課題に対して提案している。
【００１２】
上記目的を達成するために、本出願は以下の局面を提供する。
【００１３】
局面１：基地局であって、
上記基地局によってサービスされる移動局（ＵＥ）全てに信号を送信するよう構成された共通アンテナと、特殊アンテナをサポートし、上記基地局によってサービスされるＵＥに信号を送信するよう構成された特殊アンテナと、現在のフレームにおいて上記特殊アンテナの共通パイロットを送信するためのサブフレームを選択するよう構成されたサブフレーム選択装置と、上記サブフレーム選択装置によって選択された上記特殊アンテナの上記共通パイロットを送信するために、上記サブフレームにおいて、上記特殊アンテナの上記共通パイロットを送信するためのＲＢを選択するよう構成されたリソース・ブロック（ＲＢ）選択装置と、上記特殊アンテナの上記共通パイロットを送信するための上記選択されたサブフレーム及びＲＢを、上記特殊アンテナをサポートする上記ＵＥに通知するよう構成された通知装置と、上記ＲＢ選択装置によって選択された上記ＲＢにおいて上記特殊アンテナの上記共通パイロットを有する信号を送信するよう構成された送信装置と
を備える基地局。
【００１４】
局面２：局面１記載の基地局であって、複数の特殊アンテナが存在しており、上記送信装置は、上記ＲＢ選択装置によって選択された上記ＲＢにおいて上記特殊アンテナの上記共通パイロットの全部又は一部を送信する基地局。
【００１５】
局面３：局面１又は２に記載の基地局であって、上記サブフレーム選択装置によって選択された上記特殊アンテナの上記共通パイロットを、上記特殊アンテナをサポートする上記ＵＥに送信するために上記サブフレームを優先的にスケジューリングするスケジューリング装置を更に備える基地局。
【００１６】
局面４：局面１又は２に記載の基地局であって、判断装置を更に備え、上記判断装置は、上記特殊アンテナの上記共通パイロットを送信しないモードに切り換えるか否かを判断し、上記送信装置は、上記特殊アンテナの上記共通パイロットを送信しないモードに切り換えないと上記判断装置が判断する場合、上記サブフレーム選択装置によって選択された上記特殊アンテナの上記共通パイロットを送信するために上記サブフレームにおいて上記特殊アンテナの上記共通パイロットを有する上記信号を送信し、上記特殊アンテナの上記共通パイロットを送信しないモードに切り換えると上記判断装置が判断する場合、上記通知装置は、上記特殊アンテナの上記共通パイロットを送信しない旨を、上記特殊アンテナをサポートする上記ＵＥに通知する基地局。
【００１７】
局面５：判断装置、送信装置、及び通知装置を備える基地局であって、上記判断装置は、特殊アンテナをサポートし、基地局によってサービスされる移動局のトラフィック量が所定量よりも多いか否かを判断し、
特殊アンテナをサポートし、基地局によってサービスされる移動局のトラフィック量が所定量よりも多いと上記判断装置が判断する場合、上記送信装置は、特殊アンテナの共通パイロットを送信するために上記サブフレームにおいて上記特殊アンテナの上記共通パイロットを有する信号を送信し、
特殊アンテナをサポートし、基地局によってサービスされる移動局のトラフィック量が所定量よりも多い訳でないと上記判断装置が判断する場合、上記通知装置は、上記特殊アンテナの上記共通パイロットを送信しない旨を、上記特殊アンテナをサポートする上記移動局に通知する基地局。
【００１８】
局面６：ＵＥであって、現在のＲＢが特殊アンテナの共通パイロットを送信するか否かを判断するよう構成されたＲＢ判断装置と、上記現在のＲＢが上記特殊アンテナの上記共通パイロットを送信すると上記ＲＢ判断装置が判断する場合、上記特殊アンテナの上記共通パイロットを上記現在のＲＢから獲得する構成された共通パイロット獲得装置と、上記共通パイロット獲得装置によって獲得された上記共通パイロットについて、上記特殊アンテナの上記共通パイロットの処理を行うよう構成された処理装置とを備えるＵＥ。
【００１９】
局面７：  局面６記載のＵＥであって、複数の特殊アンテナが存在しており、上記ＲＢ判断装置は更に、上記現在のＲＢによって共通パイロットが送信されている、上記複数の特殊アンテナのうちの１つ又は複数の特殊アンテナを更に判断し、上記共通パイロット獲得装置は、判断された１つ又は複数の特殊アンテナの１つ又は複数の共通パイロットを獲得するＵＥ。
【００２０】
局面８：局面６又は７に記載のＵＥであって、上記共通パイロット獲得装置は、上記特殊アンテナをサポートしないＵＥにスケジューリングされたＲＢとして上記ＲＢ判断装置によって判断された上記特殊アンテナの上記共通パイロットを送信するＲＢを扱って、上記ＲＢからチャネル推定値を獲得するＵＥ。
【００２１】
局面９：局面６又は７に記載のＵＥであって、上記共通パイロット獲得装置は、上記特殊アンテナをサポートする別のＵＥにスケジューリングされたとして上記ＲＢ判断装置によって判断された上記特殊アンテナの上記共通パイロットを送信するＲＢを扱って、上記特殊アンテナの上記共通パイロットを送信する上記ＲＢからチャネル推定値を獲得するＵＥ。
【００２２】
局面１０：局面６又は７に記載のＵＥであって、上記特殊アンテナの上記共通パイロットを送信するＲＢを含むサブフレームにおいて、上記特殊アンテナの上記共通パイロットを送信しないＲＢのチャネル推定値の算出中に、上記処理装置は、上記特殊アンテナの上記共通パイロットを送信しない上記ＲＢに時間及び周波数領域に隣接した上記特殊アンテナの上記共通パイロットを送信するＲＢのチャネル推定値を選択し、比例してチャネル値の補間を介して上記特殊アンテナの上記共通パイロットを送信しないＲＢのチャネル推定値を獲得するＵＥ。
【００２３】
局面１１：基地局であって、
上記基地局によってサービスされる移動局（ＵＥ）全てに信号を送信するよう構成された共通アンテナと、特殊アンテナをサポートし、上記基地局によってサービスされるＵＥに信号を送信するよう構成された特殊アンテナと、現在のフレームにおいて上記特殊アンテナの共通パイロットを送信するためのサブフレームを選択するよう構成されたサブフレーム選択装置と、セルにおいて上記特殊アンテナをサポートする前記ＵＥによって選択された上記特殊アンテナの上記共通パイロットを送信するための上記サブフレームを通知するよう構成された通知装置と、上記サブフレーム選択装置によって選択された上記ＲＢにおいて上記特殊アンテナの上記共通パイロットを有する信号を送信するよう構成された送信装置と
を備える基地局。
【００２４】
局面１２：基地局において使用される通信方法であって、上記基地局は、上記基地局によってサービスされる移動局（ＵＥ）全てに信号を送信するよう構成された共通アンテナと、特殊アンテナをサポートし、上記基地局によってサービスされるＵＥに信号を送信するよう構成された特殊アンテナとを備え、上記方法は、現在のフレームにおいて上記特殊アンテナの共通パイロットを送信するためのサブフレームを選択する工程と、上記特殊アンテナの上記共通パイロットを送信するために、上記選択されたサブフレームにおいて、上記特殊アンテナの上記共通パイロットを送信するためのＲＢを選択する工程と、上記特殊アンテナの上記共通パイロットを送信するための上記選択されたサブフレーム及びＲＢを、上記特殊アンテナをサポートする上記ＵＥに通知する工程と、上記選択されたＲＢにおいて上記特殊アンテナの上記共通パイロットを有する信号を送信する工程と
を含む、基地局において使用される通信方法。
【００２５】
局面１３：基地局において使用される通信方法であって、
特殊アンテナをサポートし、基地局によってサービスされるＵＥのトラフィックが所定のトラフィックよりも大きいか否かを判断する工程と、
特殊アンテナをサポートし、基地局によってサービスされるＵＥのトラフィックが所定のトラフィックよりも大きいと判断された場合、特殊アンテナの共通パイロットを送信するサブフレームにおいて上記特殊アンテナの上記共通パイロットを有する信号を送信する工程と、
特殊アンテナをサポートし、基地局によってサービスされるＵＥのトラフィックが所定のトラフィックより大きい訳でないと判断された場合、上記特殊アンテナの上記共通パイロットを送信しない旨を、上記特殊アンテナをサポートする上記ＵＥに通知する工程と
を含む、基地局において使用される通信方法。
【００２６】
局面１４：特殊アンテナをサポートするＵＥにおいて使用される共通パイロット処理方法であって、現在のRBが特殊アンテナの共通パイロットを送信するか否かを判断する工程と、特殊アンテナの共通パイロットを現在のRBが送信すると判断される場合、特殊アンテナの共通パイロットを現在のRBから獲得する工程と、獲得された共通パイロットの特殊アンテナの共通パイロットの処理を行う工程とを含む共通パイロット処理方法。
【図面の簡単な説明】
【００２７】
【図１】ＬＴＥシステムのＲＢにおけるパイロット及びデータの分布を示す図である。
【図２】本発明の実施例による通信システムを示す概略図である。
【図３】本発明の第１乃至第３の実施例による基地局を示す概略ブロック図である。
【図４】本発明の第１の実施例による１０ｍｓフレームそれぞれのサブフレームのカテゴリを略示する図である。
【図５】ＬＴＥ−Ａ共通パイロットの（第１のカテゴリの）サブフレームがＬＴＥ及びＬＴＥ−Ａのユーザにスケジューリングされる際に、ＬＴＥ−Ａ共通パイロットがＲＢにおいてＬＴＥデータと重なり合う場合のパイロット分布を略示する図である。
【図６】ＬＴＥーＡ共通パイロットの（第１のカテゴリの）サブフレームがＬＴＥ及びＬＴＥ−Ａのユーザにスケジューリングされる際に、ＲＢにおける一部のデータ・サブキャリアがパンチされ、ＬＴＥ−Ａ共通パイロット挿入に使用される場合のフレーム構造及びパイロット分布を略示する図である。
【図７】本発明の第４の実施例による一例における１０ｍｓフレームそれぞれのサブフレームのカテゴリを略示する図である。
【図８】本発明の第４の実施例による別の例における１０ｍｓフレームそれぞれのサブフレームのカテゴリを略示する図である。
【図９】本発明の第５の実施例による一例における１０ｍｓフレームそれぞれのサブフレーム及びＲＢのカテゴリを略示する図である。
【図１０】本発明の第５の実施例による別の例における１０ｍｓフレームそれぞれのサブフレーム及びＲＢのカテゴリを略示する図である。
【図１１】本発明の第５の実施例による更に別の例における１０ｍｓフレームそれぞれのサブフレーム及びＲＢのカテゴリを略示する図である。
【図１２】本発明の第５の実施例による基地局を示す図である。
【図１３】本発明の一実施例による移動局を示す図である。
【図１４】本発明の一実施例による通信方法を略示するフローチャートである。
【図１５】本発明の第６の実施例によるフレームのサブフレームのカテゴリを略示する図である。
【図１６】本発明の第６の実施例による８個のアンテナのモードと４個のアンテナのモードとの間の切り換えを略示するフローチャートである。
【図１７】本発明の第６の実施例による基地局を示す図である。
【発明を実施するための形態】
【００２８】
図面は、本発明の好ましい実施例を示し、本出願の一部を構成する。図面は、文字による記載とともに本発明の原理を詳細に明らかにする。
【００２９】
一実施例に関して説明及び／又は例証した構成は、同一の、又は同様のやり方で１つ又は複数の他の実施例において使用することが可能であり、他の実施例における構成と組み合わせ、又は、他の実施例における構成を置き換えることが可能である。
【００３０】
本明細書及び特許請求の範囲に記載の「ｉｎｃｌｕｄｅ／ｃｏｍｐｒｉｓｅ（含む）／ｈａｖｅ（有する）」は、構成、構成部分、工程、及び組立の存在を表し、１つ又は複数の他の構成、構成部分、工程、組立、又はそれらの組み合わせの存在又は追加を排除しない。
【実施例】
【００３１】
本発明の実施例は、ＬＴＥ−Ａシステムの共通パイロットを送信する方法、並びに、ＬＴＥ−ＡシステムがＬＴＥシステムと下方互換である場合を完全に考慮に入れ、ＬＴＥ及びＬＴＥ−Ａのハイブリッド・システムにおいてそれによってもたらされる当該システムのフレーム構造の設計及びデータをスケジューリングする方法を提案する。
【００３２】
図２は、本発明の実施例による通信システムの概略図を示す。図２に示すように、本発明の実施例による通信システムは、基地局（ＢＳ）と、比較的少ない送信及び受信のアンテナの構成をサポートする移動局（ＵＥ、例えば、ＵＥ１及びＵＥ２）と、比較的多い送信及び受信のアンテナの構成をサポートするＵＥ（例えば、ＵＥ３及びＵＥ４）とを含む。比較的多い送信及び受信のアンテナは特殊アンテナと呼ばれる。図２は、相対的に少ない送信及び受信のアンテナの構成をサポートする２つのＵＥと、相対的に多い送信及び受信のアンテナの構成をサポートする２つのＵＥを示すが、これらは例示的なものに過ぎず、より多くても、より少なくてもよい。
【００３３】
本明細書では、ＬＴＥに従うＵＥは、相対的に少ない送信及び受信のアンテナの構成をサポートするＵＥの例として利用され、ＬＴＥ−Ａに従うＵＥは、相対的に多い送信及び受信のアンテナの構成をサポートするＵＥ（すなわち、特殊アンテナをサポートするＵＥ）の例として利用される。
【００３４】
本発明の実施例では、ＬＴＥ−Ａによってサポートされる送信アンテナの最大数は８であり、ＬＴＥによってサポートされる送信アンテナの最大数は４である。設計されたフレーム構造では、１０ｍｓのフレームはそれぞれ、１０個のサブフレームに分けられる。しかし、本発明の実施例は更に、ＵＥによってサポートされる送信アンテナの最大数が８でないシステムにも適用され得、１０ｍｓフレームはそれぞれ、１０以外の数のサブフレームに分けることができる。
【００３５】
本明細書では、説明の便宜上、以下の例では、ＬＴＥ及びＬＴＥ−Ａをサポートするアンテナの連続番号は、０乃至３として設定される一方、ＬＴＥ−Ａのみをサポートするアンテナの連続番号は４乃至７として設定され、前述のアンテナは特殊アンテナと呼ばれる。
【００３６】
実施例１
本発明の第１の実施例では、１０ｍｓフレームそれぞれにおけるサブフレームは、ＬＴＥ−Ａ共通パイロットを送信するか否かということに基づいて区別される。第１のカテゴリのサブフレームにおける時間・周波数ＲＢは、アンテナ４乃至７の全部又は一部の共通パイロットを送信する一方、第２のカテゴリのサブフレームにおけるＲＢは何れも、アンテナ４乃至７の共通パイロットの何れかを送信する訳でない。
【００３７】
図３は、本発明の第１の実施例による基地局の概略ブロック図を示す。図３に示すように、この局面による基地局は、サブフレーム選択装置３１０、送信装置３２０、及び通知装置３３０を含む。
【００３８】
サブフレーム選択装置３１０は特殊アンテナの共通パイロットを送信するために現在のフレーム内のサブフレームを選択する。通知装置３３０は、例えば、特殊アンテナの共通パイロットを送信するための、選択されたサブフレームを、セル内の特殊アンテナをサポートするＵＥに現在のフレームの０番目のサブフレームで通知する。送信装置３２０は、特殊アンテナの共通パイロットを有する信号を、サブフレーム選択装置３１０によって選択されるサブフレームにおいて送信する。
【００３９】
図４は、本発明の第１の実施例による１０ｍｓフレームそれぞれのサブフレームのカテゴリ（フレーム構造）を略示する。図４に示すように、１０個のサブフレームが２つのカテゴリに分類される。サブフレームの第１のカテゴリは、ＬＴＥのＵＥにスケジューリングされる場合でもＬＴＥ−ＡのＵＥにスケジューリングされる場合でも８個のアンテナ全ての共通パイロットを送信するサブフレーム＃１及び＃６を含む。サブフレームの第２のカテゴリは、特定のＲＢがＬＴＥユーザにスケジューリングされ、パイロット・モードが現在のＬＴＥ標準のものに従う場合に、４つのアンテナのパイロットのみがパイロット位置において送信され、特定のＲＢがＬＴＥ−Ａユーザにスケジューリングされた場合、アンテナ０乃至３のパイロットが送信されるのみならず、アンテナ４乃至７の共通パイロット及びＬＴＥ−Ａユーザの特殊パイロットは他のパイロット位置で送信される、サブフレーム＃１及び＃６以外のサブフレームを含む。
【００４０】
図４は、第１カテゴリのサブフレームが、サブフレーム＃１及び＃６であるということを示すが、他のサブフレームも採用し得る。更に、図４は、第１のカテゴリのサブフレームの数が２であるということを示しているが、上記数は、１、３、又は３を超える数であり得る。
【００４１】
この実施例では、サブフレーム選択装置３１０は、特殊アンテナの共通パイロットを送信するために現在のフレーム内のサブフレームを選択する。送信装置３２０は、ＬＴＥ−Ａの特殊アンテナ（アンテナ４乃至７）全てのパイロットを、サブフレーム選択装置３１０によって選択されるサブフレームの各ＲＢにおいて送信する。
【００４２】
図５は、ＬＴＥ−Ａ共通パイロットの（第１のカテゴリの）サブフレームがＬＴＥ及びＬＴＥ−Ａのユーザ（ＵＥ）にスケジューリングされる際に、ＬＴＥ−Ａ共通パイロットがＲＢにおいてＬＴＥデータと重なり合う場合のパイロット分布及びフレーム構造を略示する。図５に示すように、サブフレーム＃１及び＃６は、何れの他のサブフレームによっても送信されない、ＬＴＥ−Ａを送信するためのサブフレームである。ＲＢがＬＴＥユーザ及びＬＴＥ−Ａユーザにスケジューリングされる場合のＬＴＥ−Ａ共通パイロット分布は、サブフレーム＃１に示される。ＲＢが、ＬＴＥユーザにスケジューリングされると、ＬＴＥ−Ａ共通パイロット及びＬＴＥデータは、パイロット挿入位置において重なり合って送信される。ＲＢがＬＴＥ−Ａユーザにスケジューリングされると、ＬＴＥ−Ａ共通パイロット及びＬＴＥ−Ａ特殊パイロットＤＲＳは、符号分割多重化された後に送信される。２つのＲＢでは、ＬＴＥ−Ａ共通パイロットの挿入場所は同じである。チャネル品質などの情報を測定する場合、システム内のＬＴＥ−Ａユーザは、ＬＴＥユーザにスケジューリングされるＲＢとしてサブフレーム＃１及び＃６におけるＲＢ全てを利用し、特定のＬＴＥ  ＵＥのデータとしてＬＴＥ−Ａユーザに実際にスケジューリングされたＲＢ内の特殊パイロットを利用し、よって、ＬＴＥ−Ａ  ＵＥは全て、一様なチャネル品質測定を受け得る。
【００４３】
特定のＬＴＥ  ＵＥが、ＬＴＥ−Ａ共通パイロットを含むＲＢのデータを受信すると、ＵＥは、ＲＢがＬＴＥ−Ａ共通パイロットを含んでいるということを知らないので、共通パイロットを干渉として扱うことにより、通常データ受信を行う。
【００４４】
図６は、ＬＴＥーＡ共通パイロットの（第１のカテゴリの）サブフレームがＬＴＥ及びＬＴＥ−Ａのユーザにスケジューリングされる際に、ＲＢにおける一部のデータ・サブキャリアがパンチされ、ＬＴＥ−Ａ共通パイロット挿入に使用される場合のフレーム構造及びパイロット分布を略示する。図６に示すように、サブフレーム＃１及び＃６は、何れの他のサブフレームによっても送信されない、ＬＴＥ−Ａ共通パイロットを送信するためのサブフレームである。ＲＢがＬＴＥユーザ及びＬＴＥ−Ａユーザにスケジューリングされる場合のパイロット分布は、サブフレーム＃１に示される。ＲＢがＬＴＥユーザにスケジューリングされると、ＬＴＥデータ信号が、パイロット挿入場所でパンチされ、ＬＴＥ−Ａ共通パイロットがその中に挿入される。ＲＢがＬＴＥ−Ａユーザにスケジューリングされると、ＬＴＥ−Ａ共通パイロット及びＬＴＥ−Ａ特殊パイロットは、符号分割多重化された後に送信される。２つのＲＢでは、ＬＴＥ−Ａ共通パイロットの挿入場所は同じである。チャネル品質などの情報を測定する場合、システム内のＬＴＥ−Ａユーザは全て、ＬＴＥ―ＡユーザにスケジューリングされるＲＢとしてサブフレーム＃１におけるＲＢ全てを利用し、特殊パイロットと多重化された後、送信されたものとしてＬＴＥユーザに実際にスケジューリングされたＲＢ内の共通パイロットを利用し、よって、ＬＴＥ−Ａユーザは、一様なチャネル品質測定を行い得る。
【００４５】
特定のＬＴＥ  ＵＥが、ＬＴＥ−Ａ共通パイロットを含むＲＢのデータを受信すると、上記ＵＥは、ＲＢ内の一部のデータがパンチされ、ＬＴＥ−Ａ共通パイロット・データとともに挿入されているということを知らないので、共通パイロットをデータとして扱うことにより、通常データ受信を行う。
【００４６】
実施例２
第１の実施例の基地局と比較すれば、図３の点線ボックスに示すように、本発明の第２の実施例による基地局は更に、スケジューリング装置３４０を含む。第２の実施例では、ＬＴＥユーザ・データに対してＬＴＥ−Ａ共通パイロットによってもたらされる干渉を削減するために、基地局のスケジューリング装置３４０は、スケジューリング中に第１のカテゴリのサブフレーム（例えば、サブフレーム＃１及び＃６）を優先的にスケジューリングする。
【００４７】
実施例３
更に、図３の点線ボックスに示すように、第１の実施例及び第２の実施例の基地局と比較すれば、本発明の第３の実施例による基地局は更に、符号変調手法変更装置３５０を含み得る。スケジューリング装置３４０が、第１のカテゴリのサブフレームをＬＴＥユーザにスケジューリングすると、符号変調手法変更装置３５０は、サブフレームのシンボルの変調速度又は符号化手法を変更するので、符号変調手法は、よりロバストになる。例えば、１６ＱＡＭ３／４は、１６ＱＡＭ１／２、ＱＰＳＫ３／４、又はＱＰＳＫ  １／２等として変更される。
【００４８】
実施例１乃至３では、第１のカテゴリのサブフレームはＬＴＥユーザ又はＬＴＥ−Ａユーザにスケジューリングし得るので、よって、スケジューリングは、より柔軟である。更に、一様な測定のやり方は、チャネル品質を測定するために、ＬＴＥ−Ａについて採用して、ユーザ・スケジューリングの柔軟性を改善し、ＬＴＥユーザに対する干渉を削減し、ＬＴＥシステムからＬＴＥ−Ａシステムへの平滑な遷移を実現する。
【００４９】
実施例４
図７は、本発明の第４の実施例による一例における１０ｍｓフレームそれぞれのサブフレームのカテゴリを略示する。図７に示すように、１０個のサブフレームが２つのカテゴリに分類される。第１のカテゴリのサブフレームはサブフレーム＃１、＃６、＃２、及び＃７を含み、サブフレーム＃１及び＃６における各ＲＢはアンテナ＃４及び＃５の共通パイロットを送信し、サブフレーム＃２及び＃７における各ＲＢは、アンテナ＃６及び＃７の共通パイロットを送信する。第２のカテゴリのサブフレームは第１のカテゴリのサブフレームに含まれるサブフレーム以外のものであり、定義は、図４に示すサブフレームのものと同じである。
【００５０】
図８は、本発明の第４の実施例による別の例における１０ｍｓフレームそれぞれのサブフレームのカテゴリを略示する。図８に示すように、１０個のサブフレームが２つのカテゴリに分類される。第１のカテゴリのサブフレームはサブフレーム＃１、＃６、＃２、＃７、＃３、＃８、＃４、及び＃９を含み、サブフレーム＃１及び＃６におけるＲＢはそれぞれ、アンテナ＃４の共通パイロットを送信し、サブフレーム＃２及び＃７におけるＲＢはそれぞれ、アンテナ＃５の共通パイロットを送信し、サブフレーム＃３及び＃８におけるＲＢはそれぞれ、アンテナ＃６の共通パイロットを送信し、サブフレーム＃４及び＃９における各ＲＢは、アンテナ＃７の共通パイロットを送信する。
【００５１】
本発明の第４の実施例による基地局では、サブフレーム選択装置３１０は、特殊アンテナの共通パイロットを送信するために、現在のフレーム内のそれぞれのサブフレームを選択し、サブフレームそれぞれによって共通パイロットが送信される特殊アンテナを判定する。通知装置３３０は、特殊アンテナをサポートし、基地局によってサービスされるＵＥに、特殊アンテナの共通パイロットを送信するための選択されたサブフレーム、及び選択されたサブフレームにより、その共通パイロットが送信されるその特殊アンテナを通知する。送信装置３２０は、特殊アンテナの共通パイロットを送信するためにサブフレーム選択装置３１０によって選択された現在のフレーム内のサブフレームにおいて、対応する特殊アンテナの共通パイロットを送信する。
【００５２】
第４の実施例の他の局面は、実施例１乃至３と同様であり得、本明細書及び特許請求の範囲において割愛している。
【００５３】
第４の実施例では、第１のカテゴリのサブフレームにおけるサブフレームは、特殊アンテナの一部の共通パイロットのみを送信する。よって、第１の実施例と比較すれば、第１のカテゴリのサブフレームがＬＴＥユーザにスケジューリングされると、特殊アンテナの共通パイロットによる、ＬＴＥユーザに対する干渉が削減される。
【００５４】
実施例５
図９は、本発明の第５の実施例による一例における１０ｍｓフレームそれぞれのＲＢ及びサブフレームのカテゴリを略示する。ＵＥは、時間領域及び周波数領域の補間を使用して各ＲＢのＣＳＩを推定する。この実施例は図４のサブフレーム分類に対応している。すなわち、ＬＴＥ−Ａ共通パイロットを送信するサブフレームにおける各ＲＢは８つのアンテナ全ての共通パイロットを送信する。図９に示すように、サブフレーム＃１及び＃６では、２つのカテゴリ（すなわち、ＬＴＥ−Ａ共通パイロットを送信するＲＢ、及びＬＴＥ−Ａ共通パイロットを送信しないＲＢ）に分類され、前述の２つのカテゴリのＲＢはかわるがわる配置される。例えば、サブフレーム＃１及び＃６では、ＬＴＥ−Ａ共通パイロットを送信する２つのＲＢは、ＬＴＥ−Ａ共通パイロットを送信しない２つのＲＢだけ、間隔が空けられ、サブフレーム＃１及び＃６においてＬＴＥ−Ａ共通パイロットを送信するＲＢは別々の初期位置を有する。サブフレーム＃１及び＃６においてＬＴＥ−Ａ共通パイロットを送信しないＲＢのチャネル推定値は、サブフレーム＃１及び＃６において、それに最も近いＲＢのチャネル推定値の補間に応じて得ることができる。
【００５５】
上記間隔の空け方は例示に過ぎず、本発明に限定されない。共通パイロットを送信する２つのＲＢは、共通パイロットを送信しないＲＢ１つ分だけ、又は共通パイロットを送信しない３つ以上のＲＢだけ、間隔を空けることもできる。
【００５６】
図１０は、本発明の第５の実施例による別の例における１０ｍｓフレームそれぞれのサブフレーム及びＲＢのカテゴリを略示する。ＵＥは、時間領域及び周波数領域の補間を使用して各ＲＢのＣＳＩを推定する。この実施例は、図７のサブフレーム分類に対応している。図１０に示すように、サブフレーム＃１及び＃６はアンテナ＃４及び＃５の共通パイロットを送信するよう構成される一方、サブフレーム＃２及び＃７はアンテナ＃６及び＃７の共通パイロットを送信するよう構成される。前述のサブフレームでは、ＲＢは全て、２つのカテゴリ（すなわち、ＬＴＥ−Ａ共通パイロットを送信するＲＢ、及びＬＴＥ−Ａ共通パイロットを送信しないＲＢ）に分類され、前述の２つのカテゴリのＲＢはかわるがわる配置される。例えば、サブフレーム＃１及び＃６では、ＬＴＥ−Ａアンテナ＃４及び＃５のＬＴＥ−Ａ共通パイロットを送信する２つのＲＢは、ＬＴＥ−Ａ共通パイロットを送信しない２つのＲＢだけ、間隔が空けられ、サブフレーム＃１及び＃６においてＬＴＥ−Ａ共通パイロットを送信するＲＢは別々の初期位置を有する。サブフレーム＃１及び＃６においてＬＴＥ−Ａ共通パイロットを送信しないＲＢのチャネル推定値は、サブフレーム＃１及び＃６において、それに最も近いＲＢのチャネル推定値の補間に応じて得ることができる。サブフレーム＃２及び＃７は同様なパイロット挿入及び補間の方式を有する。
【００５７】
図１１は、本発明の第５の実施例による更に別の例における１０ｍｓフレームそれぞれのサブフレーム及びＲＢのカテゴリを略示する。ＵＥは、時間領域及び周波数領域の補間を使用して各ＲＢのＣＳＩを推定する。この実施例は、図８のサブフレーム分類に対応している。図１１に示すように、サブフレーム＃１及び＃６はアンテナ＃４の共通パイロットを送信するよう構成され、サブフレーム＃２及び＃７はアンテナ＃５の共通パイロットを送信するよう構成され、サブフレーム＃３及び＃８はアンテナ＃６の共通パイロットを送信するよう構成され、サブフレーム＃４及び＃９はアンテナ＃７の共通パイロットを送信するよう構成される。前述のサブフレームでは、ＲＢは全て、２つのカテゴリ（すなわち、ＬＴＥ−Ａ共通パイロットを送信するＲＢ、及びＬＴＥ−Ａ共通パイロットを送信しないＲＢ）に分類され、前述の２つのカテゴリのＲＢはかわるがわる配置される。前述のサブフレームでは、ＲＢは全て、２つのカテゴリ（すなわち、ＬＴＥ−Ａを送信するＲＢ、及びＬＴＥ−Ａ共通パイロットを送信しないＲＢ）に分類され、前述の２つのカテゴリのＲＢはかわるがわる配置される。例えば、サブフレーム＃１及び＃６では、ＬＴＥ−Ａアンテナ＃４のＬＴＥ−Ａ共通パイロットを送信する２つのＲＢは、ＬＴＥ−Ａ共通パイロットを送信しない２つのＲＢだけ、間隔が空けられ、サブフレーム＃１及び＃６においてＬＴＥ−Ａ共通パイロットを送信するＲＢは別々の初期位置を有する。サブフレーム＃１及び＃６においてＬＴＥ−Ａ共通パイロットを送信しないＲＢのチャネル推定値は、サブフレーム＃１及び＃６において、それに最も近いＲＢのチャネル推定値の補間に応じて得ることができる。サブフレーム＃２及び＃７は同様なパイロット挿入及び補間の方式を有する。
【００５８】
第５の実施例では、第１のカテゴリにおけるサブフレームにおけるＲＢの一部のみが、特殊アンテナの共通パイロットを送信する。よって、第１の実施例と比較すれば、第１のカテゴリのサブフレームがＬＴＥユーザにスケジューリングされると、特殊アンテナの共通パイロットによる、ＬＴＥユーザに対する干渉が削減される。
【００５９】
更に、図７乃至１１に示すようなそれぞれの実施例のフレーム構造では、特殊アンテナの共通パイロットは、図６及び／又は図５に示すようなやり方で特殊アンテナの共通パイロットを送信することが可能である。
【００６０】
図１２は、本発明の第５の実施例による基地局のブロック図を略示する。図１２に示すように、第５の実施例による基地局は更に、ＲＢ選択装置３６０を含む。サブフレーム選択装置３１０は、特殊アンテナの共通パイロットを送信するために現在のフレーム内のサブフレームを選択する。ＲＢ選択装置３６０は、特殊アンテナの共通パイロットを送信するために、サブフレーム選択装置によって選択されるサブフレームから、特殊アンテナの共通パイロットを送信するＲＢを選択する。通知装置３３０は、特殊アンテナの共通パイロットを送信するための、選択されたサブフレーム及びＲＢを、特殊アンテナをサポートし、基地局によってサービスされるＵＥに通知する。送信装置３２０は、特殊アンテナの共通パイロットを有する信号を、ＲＢ選択装置３６０によって選択されるＲＢにおいて送信する。通知装置３３０は、例えば、特殊アンテナの共通パイロットを送信し、サブフレーム選択装置３１０によって選択されるサブフレームの第１のＲＢにおいて、特殊アンテナの共通パイロットを送信し、ＲＢ選択装置３６０によって選択されるＲＢを通知する。
【００６１】
同様に、本発明の第５の実施例による基地局は、上述と同様な機能を有するスケジューリング装置３４０及び／又は符号変調手法変更装置３５０も含み得る。本明細書及び特許請求の範囲では詳細は割愛する。
【００６２】
図１３は、本発明の一実施例によるＵＥを示す。図１３に示すように、本発明の実施例によれば、ＵＥは、現在のサブフレームが、特殊アンテナの共通パイロットを送信する第１のカテゴリのサブフレームであるか否かを判断するよう構成されたサブフレーム判断装置１２１０と、現在のサブフレームが、第１のカテゴリのサブフレームであるとサブフレーム判断装置１２１０が判断する場合に、現在のサブフレームから特殊アンテナの共通パイロットを獲得するよう構成された共通パイロット獲得装置１２２０と、特殊アンテナの共通パイロットの処理（例えば、システムの通信品質の測定）を行うよう構成された共通パイロット処理装置１２３０とを含む。
【００６３】
一例では、いくつかの特殊アンテナが存在しており、サブフレーム判断装置１２１０は更に、その共通パイロットが現在のサブフレームによって送信されているその特殊アンテナを判断する。共通パイロット獲得装置１２２０は、現在のサブフレームから、判定された１つ又は複数の特殊アンテナの共通パイロットを獲得する。共通パイロット処理装置１２３０は、判断結果に応じて判定された１つ又は複数の特殊アンテナの通信品質等を測定する。
【００６４】
一例では、受信器は更に、特殊アンテナの共通パイロットを送信しているとサブフレーム判断装置１２１０によって判断された現在のサブフレーム内の特殊アンテナの共通パイロットを現在のＲＢが送信するか否かを判断するよう構成されたＲＢ判断装置１２４０を含む。現在のＲＢが特殊アンテナの共通パイロットを送信するとＲＢ判断装置１２４０が判断すると、共通パイロット獲得装置１２２０は、特殊アンテナの共通パイロットを現在のＲＢから獲得する。共通パイロット処理装置１２３０は、特殊アンテナの獲得された共通パイロットに応じて特殊アンテナの共通パイロットの処理を行う。
【００６５】
上述したように、現在のサブフレームが特殊アンテナの共通パイロットを送信するとサブフレーム判断装置１２１０が判断した後、ＲＢ判断装置１２４０が、特殊アンテナの共通パイロットを現在のＲＢが送信するか否かを判断するが、上記２つの動作は、ＲＢ判断装置１２４０によって行うことが可能である。サブフレーム判断装置１２１０及びＲＢ判断装置１２４０は、前述の判断を、例えば、基地局によって通知されるような特殊アンテナの共通パイロットを送信するサブフレーム及びＲＢのインデクスに応じて行う。
【００６６】
一例では、ＵＥの共通パイロット獲得装置１２２０は、特殊アンテナの共通パイロットが、特殊アンテナの特殊パイロットと多重化される、特殊アンテナをサポートする別のＵＥに送信されたものとして第１のカテゴリのサブフレームを扱うことにより、共通パイロットをサブフレームから獲得する。
【００６７】
一例では、ＵＥの共通パイロット獲得装置１２２０は、特殊アンテナの共通パイロットが、特殊アンテナの特殊パイロットと多重化される、特殊アンテナをサポートする別のＵＥに送信されたものとして特殊アンテナの共通パイロットを送信するＲＢを扱うことにより、共通パイロットをＲＢから獲得する。
【００６８】
一例では、ＵＥの共通パイロット獲得装置１２２０は、共通パイロットが、ＵＥに送信されるデータとして利用される、特殊アンテナをサポートしないＵＥに送信されたものとして第１のカテゴリのサブフレームを扱うことにより、共通パイロットをサブフレームから獲得する。
【００６９】
一例では、ＵＥの共通パイロット獲得装置１２２０は、特殊アンテナをサポートしない別のＵＥに送信されたものとして特殊アンテナの共通パイロットを送信するＲＢを扱うことにより、ＲＢから共通パイロットを獲得する。
【００７０】
上記ＵＥ及び基地局の一実施例又は例に記載した構成は、別の実施例又は例における構成と組み合わせ、別の実施例又は例における構成を置き換え得る。
【００７１】
図１４は、本発明の実施例による通信方法のフローチャートを略示する。図１４に示すように、まず、工程Ｓ１３００では、サブフレーム選択装置３１０は、特殊アンテナの共通パイロットを送信するために現在のフレームにおけるサブフレームを選択する。通知装置３３０は、通知を出し、現在のサブフレームが、特殊アンテナの共通パイロットを送信する第１のカテゴリのサブフレームである場合（工程Ｓ１３１０、はい）、スケジューリング装置３４０は、工程Ｓ１３２０で、サブフレームをＬＴＥ−Ａユーザに優先的にスケジューリングする。次に、工程Ｓ１３３０で、サブフレームがＬＴＥ−Ａユーザにスケジューリングされるか否かが判断される。否定の場合、すなわち、サブフレームがＬＴＥユーザにスケジューリングされた場合（工程Ｓ１３３０、いいえ）、符号変調手法変更装置３５０は、よりロバストであるようにサブフレームの符号変調手法を変更し、フローは工程Ｓ１３５０に進む。サブフレームがＬＴＥ−Ａユーザにスケジューリングされた場合（工程Ｓ１３３０、はい）、フローは、直接、工程１３５０に進む。工程Ｓ１３５０では、現在のＲＢが、特殊アンテナの共通パイロットを送信する第１のカテゴリのＲＢであるか否かが判断される。肯定の場合、送信装置３２０は、工程Ｓ１３６０において、特殊アンテナの共通パイロットを有する信号を送信し、否定の場合、現在のＲＢが、特殊アンテナの共通パイロットを送信する第１のカテゴリのＲＢでない場合、送信装置３２０は、工程Ｓ１３６０で、特殊アンテナの共通パイロットを有しない信号を送信する。
【００７２】
一方、工程Ｓ１３１０で、現在のＲＢが、特殊アンテナの共通パイロットを送信する第１のカテゴリのＲＢでないと判定された場合（工程Ｓ１３１０、いいえ）、スケジューリング装置３４０は工程Ｓ１３７０において、通常のスケジューリングを行い、フローは工程Ｓ１３８０に進み、工程Ｓ１３８０では、特殊アンテナの共通パイロットを有しない信号が現在のＲＢにおいて送信される。
【００７３】
工程Ｓ１３６０において送信される信号は、特殊アンテナの全部又は一部の共通パイロットを含み得る。
【００７４】
上記工程は、実際の要求に応じて変更し、調節し、削除し得る。例えば、工程Ｓ１３３０及びＳ１３４０は割愛し得る。当業者は、基地局及びフレーム構造の上記説明に基づいて種々の変更及び調節を考え出し得る。
【００７５】
実施例６
図１５は、本発明の第６の実施例によるフレームのサブフレームのカテゴリを略示する。図１５に示すように、１０個のサブフレームが２つのカテゴリに分類される。第１のカテゴリのサブフレームは、システム内のＬＴＥ−Ａユーザ全てが、４つのアンテナを使用して、チャネル値推定ＣＳＩを行うためのサブフレーム＃１及び＃６を含む。第２のカテゴリのサブフレームは、ＲＢがＬＴＥ−Ａユーザにスケジューリングされる場合でもＬＴＥユーザにスケジューリングされる場合でも各ＲＢが既存の４つのＬＴＥアンテナを使用してパイロット・チャネル推定を行う、サブフレーム＃１及び＃６以外のサブフレームを含む。
【００７６】
ＬＴＥ−Ａユーザの合計トラフィックが非常に少ないか、又はＬＴＥ−Ａユーザの数が非常に少ない場合にこのフレーム構造を使用し得る。
【００７７】
図１６は、本発明の第６の実施例による８個のアンテナのモードと４個のアンテナのモードとの間の切り換えを略示する。図１６に示すように、まず工程Ｓ１６１０では、基地局の判断装置３１０は、現在のシステムにおいてアクセスされるＬＴＥ−Ａ  ＵＥのユーザ数又はトラフィックを検出し、ＬＴＥ−Ａ  ＵＥのユーザ数又はトラフィックが、所定のトラフィック閾値又は数よりも大きいか否かを判断する。ＬＴＥ−Ａ  ＵＥのトラフィックがＬＴＥ−Ａ  ＵＥの所定のトラフィック閾値又は数よりも大きい場合（Ｓ１６２０、はい）、アンテナ・モードは８個のアンテナのモードに設定され（Ｓ１６３０）、さもなければ、４個のアンテナのモードに切り換えられる（Ｓ１６２０、はい）。最後に、通知装置３３０は例えば、選択されたアンテナ・モード、サブフレームのカテゴリ等を含むブロードキャスト構成情報をＢＣＨチャネルを介してそれぞれのＬＴＥ−Ａユーザに通知する。
【００７８】
４個のアンテナのモードでは、特殊アンテナの共通パイロットは、第１のカテゴリのサブフレームにおいても送信されない。しかし、第１のカテゴリのサブフレームは、ＬＴＥ−Ａユーザがチャネル品質推定を行うためになお使用される。その場合、ＬＴＥ−Ａユーザは、アンテナ４乃至７のチャネル品質をもう推定しない。すなわち、ＬＴＥ−ＡユーザはＬＴＥユーザに等級が降下する。
【００７９】
上述の通り、切り換え条件は、ＬＴＥ−Ａのトラフィック及び／又はユーザ数であるが、他の切り換え条件（例えば、サービス品質）を採用し得る。
【００８０】
図１７は、本発明の第６の実施例による基地局の構造ブロック図を略示する。第６の実施例の局面によれば、基地局３００’は、判断装置３７０、送信装置３２０、及び通知装置３３０’を含む。判断装置３７０は、等級が降下するモード（すなわち、特殊アンテナの共通パイロットを送信しないモード）への切り換えの条件を満たしているか否かを判断する（すなわち、特殊アンテナをサポートし、基地局によってサービスされる、ＵＥのトラフィックが所定の量よりも大きいか否かを判断する）。送信装置３２０は、等級が降下するモードへの切り換えの条件を満たしていない（例えば、特殊アンテナをサポートし、基地局によってサービスされるＵＥのトラフィックが所定の量よりも大きい）と判断装置３７０が判断すると、特殊アンテナの共通パイロットを送信するサブフレームにおいて特殊アンテナの共通パイロットを有する信号を送信する。等級が降下するモードへの切り換えの条件を満たしていないと判断装置３７０が判断すると、通知装置３３０’は、特殊アンテナの共通パイロットを送信しない旨を、特殊アンテナをサポートするＵＥに通知する。
【００８１】
明らかに、第６の実施例は他の実施例と組み合わせることができる。例えば、図３及び図１２の基地局は、図１７の判断装置及び通知装置を採用し得る。
【００８２】
更に、本発明の第６の実施例では、８個のアンテナ・モードに切り替わると、特殊アンテナの共通パイロットは、本発明の実施例による上記方法、又は従来技術の手法で送信し得る。
【００８３】
本発明の上記装置及び方法は、ハードウェア、又はハードウェア及びソフトウェアの組み合わせによって実現し得る。本発明は、プログラムが論理部分によって実行される場合、論理部分が、上述した方法若しくは工程を実現するか、又は、上述した装置若しくは構成部分を実現することを可能にするコンピュータ読み取り可能なプログラムに関する。本発明は、上記プログラムを記憶するための記憶媒体、例えば、ハード・ディスク、磁気ディスク、光ディスク、ＤＶＤ、及びフラッシュ・メモリにも関する。
【００８４】
本発明は、上記詳細な実施例に関して説明している。しかし、上記説明が本発明の保護範囲に対する限定でなく、例示に過ぎないということを当業者は認識するであろう。当業者は、本発明の趣旨及び原理に基づいて本発明に対する種々の修正及び変更を行うことが可能であり、前述の修正及び変更も本発明の範囲内に収まる。
（付記１）
基地局であって、
前記基地局によってサービスされる移動局（ＵＥ）全てに信号を送信するよう構成された共通アンテナと、
特殊アンテナをサポートし、前記基地局によってサービスされるＵＥに信号を送信するよう構成された特殊アンテナと、
現在のフレームにおいて前記特殊アンテナの共通パイロットを送信するためのサブフレームを選択するよう構成されたサブフレーム選択装置と、
前記サブフレーム選択装置によって選択された前記特殊アンテナの前記共通パイロットを送信するために、前記サブフレームにおいて、前記特殊アンテナの前記共通パイロットを送信するためのＲＢを選択するよう構成されたリソース・ブロック（ＲＢ）選択装置と、
前記特殊アンテナの前記共通パイロットを送信するための前記選択されたサブフレーム及びＲＢを、前記特殊アンテナをサポートする前記ＵＥに通知するよう構成された通知装置と、
前記ＲＢ選択装置によって選択された前記ＲＢにおいて前記特殊アンテナの前記共通パイロットを有する信号を送信するよう構成された送信装置と
を備える基地局。
（付記２）
付記１記載の基地局であって、複数の特殊アンテナが存在しており、前記送信装置は、前記ＲＢ選択装置によって選択された前記ＲＢにおいて前記特殊アンテナの前記共通パイロットの全部又は一部を送信する基地局。
（付記３）
付記１又は２に記載の基地局であって、前記サブフレーム選択装置によって選択された前記特殊アンテナの前記共通パイロットを、前記特殊アンテナをサポートする前記ＵＥに送信するために前記サブフレームを優先的にスケジューリングするスケジューリング装置を更に備える基地局。
（付記４）
付記１又は２に記載の基地局であって、判断装置を更に備え、
前記判断装置は、前記特殊アンテナの前記共通パイロットを送信しないモードに切り換えるか否かを判断し、前記送信装置は、前記特殊アンテナの前記共通パイロットを送信しないモードに切り換えないと前記判断装置が判断する場合、前記サブフレーム選択装置によって選択された前記特殊アンテナの前記共通パイロットを送信するために前記サブフレームにおいて前記特殊アンテナの前記共通パイロットを有する前記信号を送信し、
前記特殊アンテナの前記共通パイロットを送信しないモードに切り換えると前記判断装置が判断する場合、前記通知装置は、前記特殊アンテナの前記共通パイロットを送信しない旨を、前記特殊アンテナをサポートする前記ＵＥに通知する基地局。
（付記５）
判断装置、送信装置、及び通知装置を備える基地局であって、
前記判断装置は、特殊アンテナの共通パイロットを送信しないモードに切り換えるか否かを判断し、
前記特殊アンテナの前記共通パイロットを送信しないモードに切り換えないと前記判断装置が判断する場合、前記送信装置は、サブフレームの何れかにおいて前記特殊アンテナの前記共通パイロットを有する信号を送信し、
前記特殊アンテナの前記共通パイロットを送信しないモードに切り換えると前記判断装置が判断する場合、前記通知装置は、前記特殊アンテナの前記共通パイロットを送信しない旨を、前記特殊アンテナをサポートする前記ＵＥに通知する基地局。
（付記６）
ＵＥであって、
現在のＲＢが特殊アンテナの共通パイロットを送信するか否かを判断するよう構成されたＲＢ判断装置と、
前記現在のＲＢが前記特殊アンテナの前記共通パイロットを送信すると前記ＲＢ判断装置が判断する場合、前記特殊アンテナの前記共通パイロットを前記現在のＲＢから獲得する構成された共通パイロット獲得装置と、
前記共通パイロット獲得装置によって獲得された前記共通パイロットについて、前記特殊アンテナの前記共通パイロットの処理を行うよう構成された処理装置とを備えるＵＥ。
（付記７）
付記６記載のＵＥであって、複数の特殊アンテナが存在しており、前記ＲＢ判断装置は更に、前記現在のＲＢによって共通パイロットが送信されている、前記複数の特殊アンテナのうちの１つ又は複数の特殊アンテナを更に判断し、前記共通パイロット獲得装置は、判断された１つ又は複数の特殊アンテナの１つ又は複数の共通パイロットを獲得するＵＥ。
（付記８）
付記６又は７に記載のＵＥであって、前記共通パイロット獲得装置は、前記特殊アンテナをサポートしないＵＥにスケジューリングされたＲＢとして前記ＲＢ判断装置によって判断された前記特殊アンテナの前記共通パイロットを送信するＲＢを扱って、前記ＲＢからチャネル推定値を獲得するＵＥ。
（付記９）
付記６又は７に記載のＵＥであって、前記共通パイロット獲得装置は、前記特殊アンテナをサポートする別のＵＥにスケジューリングされたＲＢとして前記ＲＢ判断装置によって判断された前記特殊アンテナの前記共通パイロットを送信するＲＢを扱って、前記特殊アンテナの前記共通パイロットを送信する前記ＲＢからチャネル推定値を獲得するＵＥ。
（付記１０）
付記６又は７に記載のＵＥであって、前記特殊アンテナの前記共通パイロットを送信するＲＢを含むサブフレームにおいて、前記特殊アンテナの前記共通パイロットを送信しないＲＢのチャネル推定値の算出中に、前記処理装置は、前記特殊アンテナの前記共通パイロットを送信しない前記ＲＢに時間及び周波数領域に隣接した前記特殊アンテナの前記共通パイロットを送信するＲＢのチャネル推定値を選択し、比例してチャネル値の補間を介して上記特殊アンテナの上記共通パイロットを送信しないＲＢのチャネル推定値を獲得するＵＥ。
【図１】
2012521110.tif 000003
【図２】
2012521110.tif 000004
【図３】
2012521110.tif 000005
【図４】
2012521110.tif 000006
【図５】
2012521110.tif 000007
【図６】
2012521110.tif 000008
【図７】
2012521110.tif 000009
【図８】
2012521110.tif 000010
【図９】
2012521110.tif 000011
【図１０】
2012521110.tif 000012
【図１１】
2012521110.tif 000013
【図１２】
2012521110.tif 000014
【図１３】
2012521110.tif 000015
【図１４】
2012521110.tif 000016
【図１５】
2012521110.tif 000017
【図１６】
2012521110.tif 000018
【図１７】
2012521110.tif 000019
【国際調査報告】
2012521110.tif 000020
2012521110.tif 000021
2012521110.tif 000022
2012521110.tif 000023